(57)【要約】【課題】  使い方が瞬時にわかりやすく、用紙を折るなどの煩わしい作業を必要としない極めてシンプルな構成で伝言の内容を隠すことができ、なおかつ、使用者の遊び心をくすぐる面白味のある伝言用の付箋及びその使用方法を提供する。【解決手段】  用紙裏面の一部に再貼着再剥離可能な粘着部を設けてパソコンのディスプレイや机等に貼着可能な伝言用の付箋において、用紙表面に、宛名と記入者名だけか、或いは、宛名か記入者名のどちらかだけを記入するための「封筒をモチーフにした形状」の記入部を設けるとともに、伝言の内容を隠す目的で用紙裏面に意図的に伝言の記入部（記入者名の記入部が併設されている場合もある）を設けてなる構成とする。【選択図】  図１
2014168860.tif 000002
【特許請求の範囲】
【請求項１】
用紙裏面の一部に再貼着再剥離可能な粘着部を設けてパソコンのディスプレイや机等に貼着可能な伝言用の付箋において、用紙表面に、宛名と記入者名だけか、或いは、宛名か記入者名のどちらかだけを記入するための「封筒をモチーフにした形状」の記入部を設けるとともに、伝言の内容を隠す目的で用紙裏面に意図的に伝言の記入部を設けてなることを特徴とする伝言用の付箋。
【請求項２】
前記用紙裏面に意図的に設けられた伝言の記入部が、「封筒に入れて使うようになっている一般的なメッセージカード」の該メッセージカードをかたどった形状の記入部になっていることを特徴とする請求項１に記載の伝言用の付箋。
【請求項３】
前記用紙裏面に意図的に設けられた伝言の記入部が、罫線で構成されていることを特徴とする請求項１または２のいずれかに記載の伝言用の付箋。
【請求項４】
前記用紙表面に設けられた「封筒をモチーフにした形状」の記入部が、「封をした封筒の裏側」をかたどった形状からなり、そこに記入者名だけを記入するようになっていることを特徴とする請求項１から３のいずれかに記載の伝言用の付箋及びその使用方法。
【請求項５】
前記用紙表面に設けられた「封筒をモチーフにした形状」の記入部が、「封をした封筒の表側」をかたどった形状からなり、そこに宛名と記入者名だけを記入するようになっていることを特徴とする請求項１から３のいずれかに記載の伝言用の付箋及びその使用方法。
【請求項６】
前記用紙表面に設けられた「封筒をモチーフにした形状」の記入部が、「封をした封筒の表側」をかたどった形状からなり、そこに宛名だけを記入するようになっているとともに、前記用紙裏面に意図的に設けられた伝言の記入部内に記入者名の記入部が併設され、記入者名はそこに記入するようになっていることを特徴とする請求項１から３のいずれかに記載の伝言用の付箋及びその使用方法。
【発明の詳細な説明】
【技術分野】
【０００１】
本発明は、伝言の内容を隠すことができる伝言用の付箋及びその使用方法に関する。
【背景技術】
【０００２】
用紙裏面の一部に再貼着再剥離可能な粘着部を設けた伝言用の付箋は従来より数多くの形態のものが知られているが、伝言の内容が伝言相手以外の人にも見えてしまうものがほとんどである。しかし、一方で、伝言の内容を隠したいとする需要があり、特許文献１、２によりその手段が開示されている。
【先行技術文献】
【特許文献】
【０００３】
【特許文献１】実開平６−０２００６９
【特許文献２】特開平８−１８３２７５
【発明の開示】
【発明が解決しようとする課題】
【０００４】
しかしながら、従来のこの種の付箋は、上記特許文献１、２に見られるように、伝言の内容を隠そうとする場合に必ず用紙を折る作業を必要とするため、使い方が瞬時にはわかりにくかったり、その手間が煩わしかったりするなどの不都合があるほか、デザイン的にも洒落っ気がないため、面白味がないという不満があった。
【０００５】
よって、本発明は、上述した従来技術の不都合や不満を解消するべく開発された付箋であって、使い方が瞬時にわかりやすく、用紙を折るなどの煩わしい作業を必要としない極めてシンプルな構成で伝言の内容を隠すことができ、なおかつ、使用者の遊び心をくすぐる面白味のある伝言用の付箋及びその使用方法を提供することを目的とする。
【課題を解決するための手段】
【０００６】
請求項１に記載の伝言用の付箋によれば、用紙裏面の一部に再貼着再剥離可能な粘着部を設けてパソコンのディスプレイや机等に貼着可能な伝言用の付箋において、用紙表面に、宛名と記入者名だけか、或いは、宛名か記入者名のどちらかだけを記入するための「封筒をモチーフにした形状」の記入部を設けるとともに、伝言の内容を隠す目的で用紙裏面に意図的に伝言の記入部を設けてなることを特徴とする。
【０００７】
請求項２に記載の伝言用の付箋によれば、前記請求項１の伝言用の付箋において、前記用紙裏面に意図的に設けられた伝言の記入部が、「封筒に入れて使うようになっている一般的なメッセージカード」の該メッセージカードをかたどった形状の記入部になっていることを特徴とする。
【０００８】
請求項３に記載の伝言用の付箋によれば、前記請求項１または２のいずれかの伝言用の付箋において、前記用紙裏面に意図的に設けられた伝言の記入部が、罫線で構成されていることを特徴とする。
【０００９】
請求項４に記載の伝言用の付箋の使用方法によれば、前記請求項１から３のいずれかの伝言用の付箋において、前記用紙表面に設けられた「封筒をモチーフにした形状」の記入部が、「封をした封筒の裏側」をかたどった形状からなり、そこに記入者名だけを記入するようになっていることを特徴とする。
【００１０】
請求項５に記載の伝言用の付箋の使用方法によれば、前記請求項１から３のいずれかの伝言用の付箋において、前記用紙表面に設けられた「封筒をモチーフにした形状」の記入部が、「封をした封筒の表側」をかたどった形状からなり、そこに宛名と記入者名だけを記入するようになっていることを特徴とする。
【００１１】
請求項６に記載の伝言用の付箋の使用方法によれば、前記請求項１から３のいずれかの伝言用の付箋において、前記用紙表面に設けられた「封筒をモチーフにした形状」の記入部が、「封をした封筒の表側」をかたどった形状からなり、そこに宛名だけを記入するようになっているとともに、前記用紙裏面に意図的に設けられた伝言の記入部内に記入者名の記入部が併設され、記入者名はそこに記入するようになっていることを特徴とする。
【発明の効果】
【００１２】
本発明の付箋とその使用方法によれば、用紙表面に設けられた、宛名と記入者名だけか、或いは、宛名か記入者名のどちらかだけを記入するための「封筒をモチーフにした形状」の記入部と、伝言の内容を隠す目的で用紙裏面に意図的に設けられた伝言の記入部（記入者名の記入部が併設されている場合もある）により、用紙表面と用紙裏面が、「封筒」と「その中の文書」の関係となって、一枚の付箋で一通の封書に見立てた構成とすることができ、面白味のあるものになる。
【００１３】
また、使用時には、用紙を折る作業もなく、ただ、用紙の表面に、宛名と記入者名だけか、或いは、宛名か記入者名のどちらかだけと、裏面に伝言（記入者名の記入部が併設されている場合は記入者名も）を書いて、「封筒をモチーフにした形状」の記入部がある面を表にして、そのまま伝言を伝える相手のパソコンのディスプレイや机等に貼着するだけで伝言の内容を隠すことができるので、使い方も瞬時にわかりやすく、極めて扱いやすいほか、貼着時には伝言の内容を隠しながらも、宛名と記入者名だけか、或いは、宛名か記入者名のどちらかだけを記入した前記用紙表面に設けられた「封筒をモチーフにした形状」の記入部が、伝言の目印となる等の優れた作用、効果を奏する。
【図面の簡単な説明】
【００１４】
【図１】本発明の実施形態１の付箋を示す図で、Aは正面斜視図、Bは背面斜視図。
【図２】同実施形態１の付箋の正面図。
【図３】同実施形態１の付箋の背面図。
【図４】同実施形態１の付箋の積層状態を示す斜視図。
【図５】同実施形態１の付箋の、裏面の他の実施例を示す背面図。
【図６】本発明の実施形態２の付箋の正面図。
【図７】本発明の実施形態３の付箋の正面図。
【図８】同実施形態３の付箋の背面図。
【符号の説明】
【００１５】
１    付箋
２    粘着部
３    宛名と記入者名だけか、或いは、宛名か記入者名のどちらかだけを記入するた
めの「封筒をモチーフにした形状」の記入部
４    伝言の記入部
２１    付箋集合体
３１    伝言の記入者名の記入部
３２    伝言の宛名の記入部
【発明を実施するための最良の形態】
【００１６】
次に、本発明を実施するための形態について、図１から図４を参照しながら具体的に説明する。以下に述べる実施形態の構成の概要は、用紙表面に設けられた、宛名と記入者名だけか、或いは、宛名か記入者名のどちらかだけを記入するための「封筒をモチーフにした形状」の記入部と、用紙裏面に意図的に設けられた伝言の記入部と、粘着部とからなる。なお、同じ箇所を示すものは同じ符号を付している。
【００１７】
図１は、本発明の実施形態１の付箋１を示す図であり、Aは正面斜視図、Bは背面斜視図である。実施形態１の付箋１は、用紙裏面の一部に再貼着再剥離可能な粘着部２を設けてパソコンのディスプレイや机等に貼着可能な伝言用の付箋を構成するものであって、図１Aと図２に示すように用紙表面に設けられた、伝言の記入者名だけを記入するための「封をした封筒の裏側」をかたどった形状の記入部３と、図１Bと図３に示すように用紙裏面に意図的に設けられた伝言の記入部である、「封筒に入れて使うようになっている一般的なメッセージカード」の該メッセージカードをかたどった形状の記入部４で構成され、前記表面に設けられた、「封をした封筒の裏側」をかたどった形状の記入部３も、前記裏面に意図的に設けられた該メッセージカードをかたどった形状の記入部４も、ともにどちらも用紙の表面と裏面のそれぞれに印刷された形で構成されている。
【００１８】
なお、前記表面に設けられた、伝言の記入者名だけを記入するための「封をした封筒の裏側」をかたどった形状の記入部３と、前記裏面に意図的に設けられた伝言の記入部である、該メッセージカードをかたどった形状の記入部４は、「封筒」と「その中の文書」を意味する関係になっていて、一枚の付箋で一通の封書に見立てた構成になっている。
【００１９】
前記意図的に設けられる伝言の記入部は付箋１の裏面に設けられていれば良く、実施形態１では、前記伝言の記入部を、「封筒に入れて使うようになっている一般的なメッセージカード」の該メッセージカードをかたどった形状の記入部としたが、該メッセージカードをかたどった形状の記入部は、図１Bと図３に示した形状に限らず、所望の形状を採用できるほか、さらに、前記裏面の伝言の記入部は、該メッセージカードをかたどった形状の記入部とすることだけに限定されるものでもなく、図５のようなものとすることも可能である。
【００２０】
また、前記裏面に意図的に設けられた伝言の記入部については、花柄や水玉柄等の模様又は動物や著名キャラクター等の絵柄が施されているものとすることや、該メッセージカードをかたどった形状の記入部とする場合に罫線が施されているものとすることも可能である。
【００２１】
さらに、前記「封をした封筒の裏側」をかたどった形状の記入部については、付箋１の表面に設けられていて記入者名だけを記入するようになっていれば良く、「封をした封筒の裏側」をかたどった形状であれば図１Aと図２に示した形状に限らず、所望の形状を採用できるほか、花柄や水玉柄等の模様又は動物や著名キャラクター等の絵柄が施されているものとすることも可能である。
【００２２】
なお、これらの付箋は、通常、図４に示されるように、複数枚が積層された付箋集合体２１の状態で台紙に貼着されて固定されている。
【００２３】
次に、実施形態１における付箋１の使用方法について、図１から図４を参照しながら説明する。
【００２４】
実施形態１の付箋１の使用にあたっては、使用する付箋１を付箋集合体２１から剥がしてから、まず裏返して、前記裏面に意図的に設けられた伝言の記入部である「封筒に入れて使うようになっている一般的なメッセージカード」の該メッセージカードをかたどった形状の記入部４に伝言を記入し、その後再度裏返して、前記表面に設けられた、伝言の記入者名だけを記入するための「封をした封筒の裏側」をかたどった形状の記入部３の中の記入者名の記入部３１に記入者の名前を記入して、「封をした封筒の裏側」をかたどった形状の記入部3がある面を表にして、そのままメッセージを伝える相手のパソコンのディスプレイや机等に貼着して使用する。なお、記入者名の記入と伝言の記入の順番は、どちらが先でも後でもかまわない。また、伝言を受け取る相手は、自分のパソコンのディスプレイや机等に貼着された付箋１を剥がして取った後、裏返して伝言の内容を見る形になる。
【００２５】
実施形態２の付箋１は、図６に示すように、用紙表面に設けられた「封筒をモチーフにした形状」の記入部が、「封をした封筒の表側」をかたどった形状からなり、伝言の宛名と記入者名だけを記入するための記入部となっていて、使用の際には、伝言の宛先を宛名の記入部３２に記入し、伝言の記入者名を記入者名の記入部３１に記入するようになっている以外は、実施形態１と同様である。
【００２６】
なお、前記「封をした封筒の表側」をかたどった形状の記入部については、付箋１の表面に設けられていて宛名と記入者名だけを記入するようになっていれば良く、「封をした封筒の表側」をかたどった形状であれば図６に示した形状に限らず、所望の形状を採用できるほか、花柄や水玉柄等の模様又は動物や著名キャラクター等の絵柄が施されているものとすることも可能である。
【００２７】
実施形態３の付箋１は、図７に示すように、用紙表面に設けられた「封筒をモチーフにした形状」の記入部が、「封をした封筒の表側」をかたどった形状からなり、伝言の宛名だけを記入するための記入部となっているとともに、図８に示すように、用紙裏面に意図的に設けられた伝言の記入部４内に記入者名の記入部３２が併設された形になっていて、使用の際には、伝言の宛先を前記「封をした封筒の表側」をかたどった形状の記入部３の中の宛名の記入部３２に記入し、伝言の記入者名を前記伝言の記入部４の中の記入者名の記入部３１に記入するようになっている以外は、実施形態１と同様である。
【００２８】
なお、前記「封をした封筒の表側」をかたどった形状の記入部については、付箋１の表面に設けられていて宛名だけを記入するようになっていれば良く、「封をした封筒の表側」をかたどった形状であれば図７に示した形状に限らず、所望の形状を採用できるほか、花柄や水玉柄等の模様又は動物や著名キャラクター等の絵柄が施されているものとすることも可能である。
【００２９】
なお、本発明を前記実施形態により説明したが、本発明はこれらの実施形態に何ら限定されるものではなく、特許請求の範囲に記載されている事項の範囲内で考えられるその他の実施の形態や変形例も含むものである。
【図１】
2014168860.tif 000003
【図２】
2014168860.tif 000004
【図３】
2014168860.tif 000005
【図４】
2014168860.tif 000006
【図５】
2014168860.tif 000007
【図６】
2014168860.tif 000008
【図７】
2014168860.tif 000009
【図８】
2014168860.tif 000010
【手続補正書】
【提出日】平成25年6月21日(2013.6.21)
【手続補正１】
【補正対象書類名】明細書
【補正対象項目名】全文
【補正方法】変更
【補正の内容】
【発明の詳細な説明】
【技術分野】
【０００１】
本発明は、伝言の内容を隠すことができる伝言用の付箋及びその使用方法に関する。
【背景技術】
【０００２】
用紙裏面の一部に再貼着再剥離可能な粘着部を設けた伝言用の付箋は従来より数多くの形態のものが知られているが、伝言の内容が伝言相手以外の人にも見えてしまうものがほとんどである。しかし、一方で、伝言の内容を隠したいとする需要があり、特許文献１、２によりその手段が開示されている。
【先行技術文献】
【特許文献】
【０００３】
【特許文献１】実開平６−０２００６９
【特許文献２】特開平８−１８３２７５
【発明の開示】
【発明が解決しようとする課題】
【０００４】
しかしながら、従来のこの種の付箋は、上記特許文献１、２に見られるように、伝言の内容を隠そうとする場合に必ず用紙を折る作業を必要とするため、使い方が瞬時にはわかりにくかったり、その手間が煩わしかったりするなどの不都合があるほか、デザイン的にも洒落っ気がないため、面白味がないという不満があった。
【０００５】
よって、本発明は、上述した従来技術の不都合や不満を解消するべく開発された付箋であって、使い方が瞬時にわかりやすく、用紙を折るなどの煩わしい作業を必要としない極めてシンプルな構成で伝言の内容を隠すことができ、なおかつ、使用者の遊び心をくすぐる面白味のある伝言用の付箋及びその使用方法を提供することを目的とする。
【課題を解決するための手段】
【０００６】
請求項１に記載の伝言用の付箋によれば、用紙裏面の一部に再貼着再剥離可能な粘着部を設けてパソコンのディスプレイや机等に貼着可能な伝言用の付箋において、用紙表面に、宛名と記入者名だけか、或いは、宛名か記入者名のどちらかだけを記入するための「封筒をモチーフにした形状」の記入部を設けるとともに、伝言の内容を隠す目的で用紙裏面に意図的に伝言の記入部を設けてなることを特徴とする。
【０００７】
請求項２に記載の伝言用の付箋によれば、前記請求項１の伝言用の付箋において、前記用紙裏面に意図的に設けられた伝言の記入部が、「封筒に入れて使うようになっている一般的なメッセージカード」の該メッセージカードをかたどった形状の記入部になっていることを特徴とする。
【０００８】
請求項３に記載の伝言用の付箋によれば、前記請求項１または２のいずれかの伝言用の付箋において、前記用紙裏面に意図的に設けられた伝言の記入部が、罫線で構成されていることを特徴とする。
【０００９】
請求項４に記載の伝言用の付箋によれば、前記請求項１から３のいずれかの伝言用の付箋において、前記用紙表面に設けられた「封筒をモチーフにした形状」の記入部が、「封をした封筒の裏側」をかたどった形状からなり、記入者名だけを記入するための記入部となっていることを特徴とする。
【００１０】
請求項５に記載の伝言用の付箋によれば、前記請求項１から３のいずれかの伝言用の付箋において、前記用紙表面に設けられた「封筒をモチーフにした形状」の記入部が、「封をした封筒の表側」をかたどった形状からなり、宛名と記入者名だけを記入するための記入部となっていることを特徴とする。
【００１１】
請求項６に記載の伝言用の付箋によれば、前記請求項１から３のいずれかの伝言用の付箋において、前記用紙表面に設けられた「封筒をモチーフにした形状」の記入部が、「封をした封筒の表側」をかたどった形状からなり、宛名だけを記入するための記入部となっているとともに、前記用紙裏面に意図的に設けられた伝言の記入部内に記入者名の記入部が併設されていることを特徴とする。
【００１２】
請求項７に記載の伝言用の付箋の使用方法によれば、前記請求項１から６の伝言用の付箋の使用方法において、前記用紙表面に設けられた「封筒をモチーフにした形状」の記入部が、記入者名だけを記入するための記入部となっている場合は、前記用紙表面に記入者名だけを記入するとともに、前記用紙裏面に伝言を記入して、「封筒をモチーフにした形状」の記入部がある面を表にして貼着して使用し、前記用紙表面に設けられた「封筒をモチーフにした形状」の記入部が、宛名と記入者名だけを記入するための記入部となっている場合は、前記用紙表面に宛名と記入者名だけを記入するとともに、前記用紙裏面に伝言を記入して、「封筒をモチーフにした形状」の記入部がある面を表にして貼着して使用し、前記用紙表面に設けられた「封筒をモチーフにした形状」の記入部が、宛名だけを記入するための記入部となっているとともに、前記用紙裏面に意図的に設けられた伝言の記入部内に記入者名の記入部が併設されている場合は、前記用紙表面に宛名だけを記入するとともに、前記用紙裏面に伝言と記入者名を記入して、「封筒をモチーフにした形状」の記入部がある面を表にして貼着して使用することを特徴とする。
【発明の効果】
【００１３】
本発明の付箋とその使用方法によれば、用紙表面に設けられた、宛名と記入者名だけか、或いは、宛名か記入者名のどちらかだけを記入するための「封筒をモチーフにした形状」の記入部と、伝言の内容を隠す目的で用紙裏面に意図的に設けられた伝言の記入部（記入者名の記入部が併設されている場合もある）により、用紙表面と用紙裏面が、「封筒」と「その中の文書」の関係となって、一枚の付箋で一通の封書に見立てた構成とすることができ、面白味のあるものになる。
【００１４】
また、使用時には、用紙を折る作業もなく、ただ、用紙の表面に、宛名と記入者名だけか、或いは、宛名か記入者名のどちらかだけと、裏面に伝言（記入者名の記入部が併設されている場合は記入者名も）を書いて、「封筒をモチーフにした形状」の記入部がある面を表にして、そのまま伝言を伝える相手のパソコンのディスプレイや机等に貼着するだけで伝言の内容を隠すことができるので、使い方も瞬時にわかりやすく、極めて扱いやすいほか、貼着時には伝言の内容を隠しながらも、宛名と記入者名だけか、或いは、宛名か記入者名のどちらかだけを記入した前記用紙表面に設けられた「封筒をモチーフにした形状」の記入部が、伝言の目印となる等の優れた作用、効果を奏する。
【図面の簡単な説明】
【００１５】
【図１】本発明の実施形態１の付箋を示す図で、Aは正面斜視図、Bは背面斜視図。
【図２】同実施形態１の付箋の正面図。
【図３】同実施形態１の付箋の背面図。
【図４】同実施形態１の付箋の積層状態を示す斜視図。
【図５】同実施形態１の付箋の、裏面の他の実施例を示す背面図。
【図６】本発明の実施形態２の付箋の正面図。
【図７】本発明の実施形態３の付箋の正面図。
【図８】同実施形態３の付箋の背面図。
【符号の説明】
【００１６】
１    付箋
２    粘着部
３    宛名と記入者名だけか、或いは、宛名か記入者名のどちらかだけを記入するた
めの「封筒をモチーフにした形状」の記入部
４    伝言の記入部
２１    付箋集合体
３１    伝言の記入者名の記入部
３２    伝言の宛名の記入部
【発明を実施するための最良の形態】
【００１７】
次に、本発明を実施するための形態について、図１から図４を参照しながら具体的に説明する。以下に述べる実施形態の構成の概要は、用紙表面に設けられた、宛名と記入者名だけか、或いは、宛名か記入者名のどちらかだけを記入するための「封筒をモチーフにした形状」の記入部と、用紙裏面に意図的に設けられた伝言の記入部と、粘着部とからなる。なお、同じ箇所を示すものは同じ符号を付している。
【００１８】
図１は、本発明の実施形態１の付箋１を示す図であり、Aは正面斜視図、Bは背面斜視図である。実施形態１の付箋１は、用紙裏面の一部に再貼着再剥離可能な粘着部２を設けてパソコンのディスプレイや机等に貼着可能な伝言用の付箋を構成するものであって、図１Aと図２に示すように用紙表面に設けられた、伝言の記入者名だけを記入するための「封をした封筒の裏側」をかたどった形状の記入部３と、図１Bと図３に示すように用紙裏面に意図的に設けられた伝言の記入部である、「封筒に入れて使うようになっている一般的なメッセージカード」の該メッセージカードをかたどった形状の記入部４で構成され、前記表面に設けられた、「封をした封筒の裏側」をかたどった形状の記入部３も、前記裏面に意図的に設けられた該メッセージカードをかたどった形状の記入部４も、ともにどちらも用紙の表面と裏面のそれぞれに印刷された形で構成されている。
【００１９】
なお、前記表面に設けられた、伝言の記入者名だけを記入するための「封をした封筒の裏側」をかたどった形状の記入部３と、前記裏面に意図的に設けられた伝言の記入部である、該メッセージカードをかたどった形状の記入部４は、「封筒」と「その中の文書」を意味する関係になっていて、一枚の付箋で一通の封書に見立てた構成になっている。
【００２０】
前記意図的に設けられる伝言の記入部は付箋１の裏面に設けられていれば良く、実施形態１では、前記伝言の記入部を、「封筒に入れて使うようになっている一般的なメッセージカード」の該メッセージカードをかたどった形状の記入部としたが、該メッセージカードをかたどった形状の記入部は、図１Bと図３に示した形状に限らず、所望の形状を採用できるほか、さらに、前記裏面の伝言の記入部は、該メッセージカードをかたどった形状の記入部とすることだけに限定されるものでもなく、図５のようなものとすることも可能である。
【００２１】
また、前記裏面に意図的に設けられた伝言の記入部については、花柄や水玉柄等の模様又は動物や著名キャラクター等の絵柄が施されているものとすることや、該メッセージカードをかたどった形状の記入部とする場合に罫線が施されているものとすることも可能である。
【００２２】
さらに、前記「封をした封筒の裏側」をかたどった形状の記入部については、付箋１の表面に設けられていて記入者名だけを記入するようになっていれば良く、「封をした封筒の裏側」をかたどった形状であれば図１Aと図２に示した形状に限らず、所望の形状を採用できるほか、花柄や水玉柄等の模様又は動物や著名キャラクター等の絵柄が施されているものとすることも可能である。
【００２３】
なお、これらの付箋は、通常、図４に示されるように、複数枚が積層された付箋集合体２１の状態で台紙に貼着されて固定されている。
【００２４】
次に、実施形態１における付箋１の使用方法について、図１から図４を参照しながら説明する。
【００２５】
実施形態１の付箋１の使用にあたっては、使用する付箋１を付箋集合体２１から剥がしてから、まず裏返して、前記裏面に意図的に設けられた伝言の記入部である「封筒に入れて使うようになっている一般的なメッセージカード」の該メッセージカードをかたどった形状の記入部４に伝言を記入し、その後再度裏返して、前記表面に設けられた、伝言の記入者名だけを記入するための「封をした封筒の裏側」をかたどった形状の記入部３の中の記入者名の記入部３１に記入者の名前を記入して、「封をした封筒の裏側」をかたどった形状の記入部3がある面を表にして、そのままメッセージを伝える相手のパソコンのディスプレイや机等に貼着して使用する。なお、記入者名の記入と伝言の記入の順番は、どちらが先でも後でもかまわない。また、伝言を受け取る相手は、自分のパソコンのディスプレイや机等に貼着された付箋１を剥がして取った後、裏返して伝言の内容を見る形になる。
【００２６】
実施形態２の付箋１は、図６に示すように、用紙表面に設けられた「封筒をモチーフにした形状」の記入部が、「封をした封筒の表側」をかたどった形状からなり、伝言の宛名と記入者名だけを記入するための記入部となっていて、使用の際には、伝言の宛先を宛名の記入部３２に記入し、伝言の記入者名を記入者名の記入部３１に記入するようになっている以外は、実施形態１と同様である。
【００２７】
なお、前記「封をした封筒の表側」をかたどった形状の記入部については、付箋１の表面に設けられていて宛名と記入者名だけを記入するようになっていれば良く、「封をした封筒の表側」をかたどった形状であれば図６に示した形状に限らず、所望の形状を採用できるほか、花柄や水玉柄等の模様又は動物や著名キャラクター等の絵柄が施されているものとすることも可能である。
【００２８】
実施形態３の付箋１は、図７に示すように、用紙表面に設けられた「封筒をモチーフにした形状」の記入部が、「封をした封筒の表側」をかたどった形状からなり、伝言の宛名だけを記入するための記入部となっているとともに、図８に示すように、用紙裏面に意図的に設けられた伝言の記入部４内に記入者名の記入部３１が併設された形になっていて、使用の際には、伝言の宛先を前記「封をした封筒の表側」をかたどった形状の記入部３の中の宛名の記入部３２に記入し、伝言の記入者名を前記伝言の記入部４の中の記入者名の記入部３１に記入するようになっている以外は、実施形態１と同様である。
【００２９】
なお、前記「封をした封筒の表側」をかたどった形状の記入部については、付箋１の表面に設けられていて宛名だけを記入するようになっていれば良く、「封をした封筒の表側」をかたどった形状であれば図７に示した形状に限らず、所望の形状を採用できるほか、花柄や水玉柄等の模様又は動物や著名キャラクター等の絵柄が施されているものとすることも可能である。
【００３０】
なお、本発明を前記実施形態により説明したが、本発明はこれらの実施形態に何ら限定されるものではなく、特許請求の範囲に記載されている事項の範囲内で考えられるその他の実施の形態や変形例も含むものである。
【手続補正２】
【補正対象書類名】特許請求の範囲
【補正対象項目名】全文
【補正方法】変更
【補正の内容】
【特許請求の範囲】
【請求項１】
用紙裏面の一部に再貼着再剥離可能な粘着部を設けてパソコンのディスプレイや机等に貼着可能な伝言用の付箋において、用紙表面に、宛名と記入者名だけか、或いは、宛名か記入者名のどちらかだけを記入するための「封筒をモチーフにした形状」の記入部を設けるとともに、伝言の内容を隠す目的で用紙裏面に意図的に伝言の記入部を設けてなることを特徴とする伝言用の付箋。
【請求項２】
前記用紙裏面に意図的に設けられた伝言の記入部が、「封筒に入れて使うようになっている一般的なメッセージカード」の該メッセージカードをかたどった形状の記入部になっていることを特徴とする請求項１に記載の伝言用の付箋。
【請求項３】
前記用紙裏面に意図的に設けられた伝言の記入部が、罫線で構成されていることを特徴とする請求項１または２のいずれかに記載の伝言用の付箋。
【請求項４】
前記用紙表面に設けられた「封筒をモチーフにした形状」の記入部が、「封をした封筒の裏側」をかたどった形状からなり、記入者名だけを記入するための記入部となっていることを特徴とする請求項１から３のいずれかに記載の伝言用の付箋。
【請求項５】
前記用紙表面に設けられた「封筒をモチーフにした形状」の記入部が、「封をした封筒の表側」をかたどった形状からなり、宛名と記入者名だけを記入するための記入部となっていることを特徴とする請求項１から３のいずれかに記載の伝言用の付箋。
【請求項６】
前記用紙表面に設けられた「封筒をモチーフにした形状」の記入部が、「封をした封筒の表側」をかたどった形状からなり、宛名だけを記入するための記入部となっているとともに、前記用紙裏面に意図的に設けられた伝言の記入部内に記入者名の記入部が併設されていることを特徴とする請求項１から３のいずれかに記載の伝言用の付箋。
【請求項７】
請求項１から６に記載の伝言用の付箋の使用方法であって、前記用紙表面に設けられた「封筒をモチーフにした形状」の記入部が、記入者名だけを記入するための記入部となっている場合は、前記用紙表面に記入者名だけを記入するとともに、前記用紙裏面に伝言を記入して、「封筒をモチーフにした形状」の記入部がある面を表にして貼着して使用し、前記用紙表面に設けられた「封筒をモチーフにした形状」の記入部が、宛名と記入者名だけを記入するための記入部となっている場合は、前記用紙表面に宛名と記入者名だけを記入するとともに、前記用紙裏面に伝言を記入して、「封筒をモチーフにした形状」の記入部がある面を表にして貼着して使用し、前記用紙表面に設けられた「封筒をモチーフにした形状」の記入部が、宛名だけを記入するための記入部となっているとともに、前記用紙裏面に意図的に設けられた伝言の記入部内に記入者名の記入部が併設されている場合は、前記用紙表面に宛名だけを記入するとともに、前記用紙裏面に伝言と記入者名を記入して、「封筒をモチーフにした形状」の記入部がある面を表にして貼着して使用することを特徴とする伝言用の付箋の使用方法。